(57)【要約】【課題】  本発明は、貼付票側、お届け先控票、配送票を具備する配送伝票に関し、配送業者が誤って前記お届け先控票を取出してしまうことを防止し、且つ配送過程で必要な配送票は取出しやすくした配送伝票の提供を目的とする。【解決手段】  本発明は、貼付票（１１）である上側用紙と、該上側用紙と対向する下側用紙とを一辺開口形の袋状に接着してなる袋状部を有し、該袋状部の内部に貼付票側（１１）から順に少なくともお届け先控票（１２）と配送票（１３）が抜き取り可能に設けられ、前記貼付票（１１）に記録される情報が選択的に前記お届け先控票（１２）ならびに配送票（１３）に複写される配送伝票において、前記お届け先控票（１２）の長さを前記上側用紙の開口部（４）までの長さと略等しいか或いは短い長さにし、且つ前記配送票（１３）の長さを前記上側用紙の開口部（４）の外側に食み出す長さにすることによって上記の課題を解決する。【選択図】  図１
2005088379.tif 000002
【特許請求の範囲】
【請求項１】
貼付票である上側用紙と、該上側用紙と対向する下側用紙とを一辺開口形の袋状に接着してなる袋状部を有し、該袋状部の内部に貼付票側から順に少なくともお届け先控票と配送票が抜き取り可能に設けられ、前記貼付票に記録される情報が選択的に前記お届け先控票ならびに配送票に複写される配送伝票において、
前記お届け先控票の長さを前記上側用紙の開口部までの長さと略等しいか或いは短い長さにし、且つ前記配送伝票の長さを前記開口部の外側に食み出す長さにしたことを特徴とする配送伝票。
【請求項２】
前記前記上側用紙開口部に切欠け窓部を設け、該切欠け窓部を介してお届け先控票の一部が貼付票表面に現れるようにしたことを特徴とする請求項１記載の配送伝票。
【請求項３】
前記袋状部の接着は、少なくとも前記切欠け窓部より短い長さに接着されていることを特徴とする請求項２記載の配送伝票。
【発明の詳細な説明】
【技術分野】
【０００１】
本発明は、配送物に貼付して用いる複写式の配送伝票に関する。
【背景技術】
【０００２】
特許文献１には、上側用紙（貼付票）と、該上側用紙と対向する下側用紙とを一辺開口形の袋状に接着してなる袋状部を有し、該袋状部の内部に配送票が抜き取り可能に設けられ、前記上側用紙に記録される情報が選択的に前記配送票に複写される配送伝票の構成が開示されている。  このような配送伝票は、依頼人の住所氏名、届け先の住所氏名など配送に必要な各種情報を依頼人がボールペン等で記入、或いはインパクトプリンタで印字して利用される。  前記貼付票は配送物に最後まで貼付されているもので、所謂荷札としての機能を有する帳票である。  前記配送票は、配送業者が配送物を配送する作業過程で配送伝票から抜き取り利用するもので、配送業者が配送物を受取人に渡した際に受け渡しの証として配送票に受取印あるいはサインを貰い、配送業者はこれを持ち帰り保管するという受領証明書を兼ねるものである。そのため、作業を効率的に行うため抜き取りやすくするための工夫がなされている。すなわち、配送票の一部を袋状部より突出させている。
お届け先控票は受取人側で必要に応じて抜き取るものであり、配達業者は抜き取らないが、受取人側で抜き取りやすくするために一部を袋状部より突出させている。さらに特許文献１にも見られるように袋状部より突出させた各帳票の長さを変えてより一層抜き取りやすくしてある。
【特許文献１】特開特開平９−５２４７３号公報
【発明の開示】
【発明が解決しようとする課題】
【０００３】
上述のように「配送票」は配送物を届ける過程で配送業者側が事前に取出して利用するものであるが、「お届け先控票」は受取人側が必要に応じて取出して利用するものであり、両者は使い方が全く異なるものである。しかしながら従来の配送伝票においては、「配送票」、「お届け先控票」ともに抜き取りやすくなっている。  そのために、次のような事故が想定される。（１）配送業者が「配送票」を取り出す際に誤って「お届け先控票」も取出してしまう。（２）配達業者が「お届け先控票」を取り出したことに気付かずに、配達車の内部や或いは車外に落とし、第三者に当該「お届け先控票」が渡り、結果として配送伝票に記載された個人情報が漏洩するという課題がある。
【０００４】
そこで本発明は、配送業者が誤って「お届け先控票」を取出してしまうことを防止し、且つ配送過程で必要な「配送票」は取出しやすくした配送伝票の提供を目的とする。
【課題を解決するための手段】
【０００５】
本発明は、以下の各請求項に記載の手段により上記の課題を解決するものである。
（請求項１）  貼付票（１１）である上側用紙と、該上側用紙と対向する下側用紙とを一辺開口形の袋状に接着してなる袋状部を有し、該袋状部の内部に貼付票側（１１）から順に少なくともお届け先控票（１２）と配送票（１３）が抜き取り可能に設けられ、前記貼付票（１１）に記録される情報が選択的に前記お届け先控票（１２）ならびに配送票（１３）に複写される配送伝票において、
前記お届け先控票（１２）の長さを前記上側用紙の開口部（４）までの長さと略等しいか或いは短い長さにし、且つ前記配送票（１３）の長さを前記上側用紙の開口部（４）の外側に食み出す長さにしたことを特徴とする配送伝票。
（請求項２）  前記前記上側用紙の開口部（４）に切欠け窓部（２）を設け、該切欠け窓部（２）を介してお届け先控票（１２）の一部が貼付票表面に現れるようにしたことを特徴とする請求項１記載の配送伝票。
（請求項３）  前記袋状部の接着は、少なくとも前記切欠け窓部（２）より短い長さに接着されていることを特徴とする請求項２記載の配送伝票。
【発明の効果】
【０００６】
（１）  請求項１の発明によれば、お届け先控票の長さが配送伝票を構成する袋状部の開口部までの長さと略等しいか或いは短く、且つい配送票の長さが上記開口部の外側に食み出す長さであるから、配達業者が配送票を取り出す際に誤ってお届け先控票を取出してしまうことがなく、確実に配送票のみ取り出すことができるという効果がある。
【０００７】
（２）  請求項２の発明によれば、配送伝票を構成する袋状部の開口部に設けた切欠け窓部を介してお届け先控票の一部が貼付票表面に現れるので、お届け先控票の存在を受取人に示すことができるという効果がある。
【０００８】
（３）  請求項３の発明によれば、袋状部を構成する上側用紙の接着が、上側用紙の開口部に設けた前記切欠け窓部より短い長さになるように接着されているので、お届け先控票の取り出しが必要な場合は、その取り出しを容易にするという効果がある。
【発明を実施するための最良の形態】
【０００９】
以下、本発明の実施の形態について図面を参照して説明する。
【００１０】
図１は本発明による配送伝票の構造を模式的に示す図である。図２は本発明による配送伝票を示す平面図、図３は図２のＸ−Ｘ´矢視断面図である。  図中、１は配送伝票、１１は貼付票（上側用紙）、１２はお届け先控票、１３は配送票、２０はタック紙（下側用紙）である。タック紙２０は、タック基材２１、粘着剤層２２、剥離紙２３からなり、配送物に配送伝票を貼る際に前記剥離紙２３を剥がし、粘着剤層２２を介して剥離困難に貼り付ける機能を有する。
【００１１】
本発明の配送伝票１は、貼付票１１を構成する上側用紙と、配送伝票を配送物に貼るためのタック紙２０を構成する下側用紙の周囲三辺とを「コの字状」の接着剤層５ａにより一辺開口形に構成された開口部４を備えた袋状部を具備している。お届け先控票１２と配送票１３は前記袋状部の開口部４と反対側の辺に、接着剤層５ａ、５ｂ、５ｃにより綴じ込まれている。
【００１２】
また、貼付票１１に記録される情報は、選択的に前記お届け先控票１２ならびに配送票１３に複写されるような複写機構が備わっている。複写機構として所謂カーボンインキ、或いは顕色剤と発色剤の組合せによる所謂ノンカーボンインキが用いられる。
【００１３】
また、お届け先控票１２と配送票１３を抜き取り可能にするために、お届け先控票１２と配送票１３の前記綴じ込みの内側に切り取り用のミシン目３を設けている。
【００１４】
また、お届け先控票１２の長さを貼付票１１の開口部４までの長さと略等しいか或いは短い長さに調整している。すなわち、お届け先控票が貼付票とを同じ長さにすれば、両者が重なり、お届け先控票は見えなくなる。他方、配送票１３の長さは貼付票１１より長く調整するので配送票１３は開口部４の外側に食み出すことになり、容易にその存在が分かり且つ抜き取りやすい状態になる。従って、配達業者が配送票を取り出す際に誤ってお届け先控票を取出してしまうことがなく、確実に配送票のみ取り出すことができる。  なお、お届け先控票１２と貼付票１１とは必ずしも同じ長さでなくてもよく、お届け先控票１２の長さを貼付票１１より１ミリメートルから３ミリメートル程度短くするようにしてもよい。
【００１５】
しかしながら、上記のようにするとお届け先控票１２の存在が分からず、折角お届け先控票を設けた意味が薄くなる。また、お届け先控票１２を抜き取る必要が生じたときに抜き取りが困難である。  よって、前記開口部４に切欠け窓部２を設け、該切欠け窓部２を介してお届け先控票１２の一部が貼付票１１の表面に現れるようにしてもよい。切欠け窓部２の形状は、図示のような三角形状に限るものではなく、四角形でも半円形でもよい。切欠け窓部２を形成する位置も図示のようなコーナー部に限られるものではなく、中央部でもよい。切欠け窓部２からお届け先控票１２の表示部の一部が見えるようにするのが好ましい。  切欠け窓部２の切欠けの深さは通常３ミリメートルから１０ミリメートル程度である。切欠けの深さが３ミリメートルより浅いとお届け先控票１２の表示部が見え難く、かつ、お届け先控票が抜き取り難い。また、切欠けの深さが１０ミリメートルより深いと切欠け窓部が浮き上がり、配送途中で貼付票１１が破れる虞がある。
【００１６】
なお、切欠け窓部２のみではお届け先控票１２の存在が分かり難いので、貼付票１１表面の切欠け窓部付近、或いはタック基材２１表面の切欠け窓部付近にお届け先控票１２の存在を示す注意書きを印刷しておいてもよい。
【００１７】
さらにお届け先控票を抜き取り易くするために、前記袋状部の接着剤層５ａの塗布パターンを、少なくとも前記切欠け窓部２より短い長さに調整してもよい。すなわち、切欠け窓部２の切欠けの深さ３ミリメートルから１０ミリメートル程度分だけ接着剤層５ａの塗布パターンを貼付票１１の開口部端より短くする。この場合３ミリメートルより短いとお届け先控票１２の抜き取り易さが顕著に生じない。また、切欠けの深さが１０ミリメートルより長いと貼付票１１の開口部側が浮き上がり、配送途中で貼付票１１が破れる虞がある。  以上によりお届け先控票を抜き取る必要が生じたときには受取人側による抜き取りを容易にし、且つ配送業者が配送途中で誤って抜き取ることもない。
【図面の簡単な説明】
【００１８】
【図１】図１は本発明による配送伝票の構造を模式的に示す図である。
【図２】図２は本発明による配送伝票を示す平面図である。
【図３】図３は図２のＸ−Ｘ´矢視断面図である。
【符号の説明】
【００１９】
１  配送伝票
２  切欠け窓部
３  ミシン目
４  開口部
５ａ、５ｂ、５ｃ  接着剤層
１１  貼付票
１２  お届け先控票
１３  配送票
２０  タック紙
【図１】
2005088379.tif 000003
【図２】
2005088379.tif 000004
【図３】
2005088379.tif 000005